(57)【要約】      （修正有）【課題】堆肥を全体的に良好に撹拌し混合することができ、堆肥の製造を促成させることができる堆肥撹拌装置を提供する。【解決手段】堆肥を撹拌翼体１８で撹拌する堆肥撹拌装置１において、堆肥舎２の前後の支柱３、４には、左右に直線状に伸延させたレール８が取付けられており、レール８の上には堆肥撹拌装置１が移動自在に載置されている。走行可能な基台９に複数の台車１４，１４をそれぞれ独立して基台９の走行方向と直交する方向に向けて走行可能に設け、各台車１４に撹拌翼体１８を回転可能に設けることにした。また、前記複数の台車１４，１４を離合可能に基台９に設けることにした。【選択図】図２
0003198769.tif 000002
【実用新案登録請求の範囲】
【請求項１】
堆肥を撹拌翼体で撹拌する堆肥撹拌装置において、
走行可能な基台に複数の台車をそれぞれ独立して基台の走行方向と直交する方向に向けて走行可能に設け、各台車に撹拌翼体を回転可能に設けたことを特徴とする堆肥撹拌装置。
【請求項２】
前記複数の台車を離合可能に基台に設けたことを特徴とする請求項１に記載の堆肥撹拌装置。
【考案の詳細な説明】
【技術分野】
【０００１】
本考案は、堆肥を撹拌翼体で撹拌する堆肥撹拌装置に関するものである。
【背景技術】
【０００２】
堆肥は、堆肥舎の内部に堆肥撹拌装置を設け、堆肥撹拌装置で堆肥舎内の床に堆積した有機廃棄物等を撹拌し混合することで製造される。
【０００３】
従来の堆肥撹拌装置としては、堆肥舎に１台の基台を左右幅方向に向けて走行可能に設けるとともに、基台に１台の台車を前後方向（基台の走行方向と直交する方向）に向けて走行可能に設け、台車に下方へ向けて伸延させた撹拌翼体を回転可能に設けた構造のものが知られている（たとえば、特許文献１参照。）。
【０００４】
そして、堆肥撹拌装置は、基台と台車とを走行させながら撹拌翼体を回転させ、回転する撹拌翼体で堆肥を撹拌し混合する。
【先行技術文献】
【特許文献】
【０００５】
【特許文献１】特開２０１０−３７１４４号公報
【考案の概要】
【考案が解決しようとする課題】
【０００６】
ところが、上記従来の堆肥撹拌装置では、１台の基台に設けられた１台の台車の走行によって撹拌翼体を堆肥内で移動させるために、撹拌翼体の移動（軌跡）が単調なものとなっており、堆肥が部分的に撹拌されてしまい、堆肥を全体的に良好に撹拌・混合することができないおそれがある。
【課題を解決するための手段】
【０００７】
そこで、請求項１に係る本考案では、堆肥を撹拌翼体で撹拌する堆肥撹拌装置において、走行可能な基台に複数の台車をそれぞれ独立して基台の走行方向と直交する方向に向けて走行可能に設け、各台車に撹拌翼体を回転可能に設けることにした。
【０００８】
また、請求項２に係る本考案では、前記請求項１に係る本考案において、前記複数の台車を離合可能に基台に設けることにした。
【考案の効果】
【０００９】
そして、本考案では、以下に記載する効果を奏する。
【００１０】
すなわち、本考案では、堆肥を撹拌翼体で撹拌する堆肥撹拌装置において、走行可能な基台に複数の台車をそれぞれ独立して基台の走行方向と直交する方向に向けて走行可能に設け、各台車に撹拌翼体を回転可能に設けることにしているために、基台と複数の台車とをそれぞれ独立して走行させることで、堆肥内での撹拌翼体の移動（軌跡）を多様化（複雑化）させることができ、堆肥を全体的に良好に撹拌し混合することができ、堆肥の製造を促成することができる。
【００１１】
特に、前記複数の台車を離合可能に基台に設けた場合には、複数の台車（撹拌翼体）同士が干渉して台車（撹拌翼体）が移動することができない場所（デッドスペース）が生じるのを防止することができ、より一層堆肥を全体的に良好に撹拌し混合することができ、堆肥の製造を促成することができる。
【図面の簡単な説明】
【００１２】
【図１】本考案に係る堆肥撹拌装置を示す正面図。
【図２】同右側面断面図。
【図３】基台及び台車（撹拌翼体）の動作を示す斜視図。
【図４】撹拌翼体の部分拡大正面図。
【考案を実施するための形態】
【００１３】
以下に、本発明に係る堆肥撹拌装置の具体的な構成について図面を参照しながら説明する。
【００１４】
図１〜図３に示すように、堆肥撹拌装置１は、堆肥舎２の内部に収容され、堆肥舎２の床に堆積された家畜糞等の有機廃棄物等を撹拌し混合することで熟成させて堆肥を製造するものである。
【００１５】
堆肥舎２は、正面視で左右幅方向に伸延した横長中空矩形箱型状に形成されている。堆肥舎２の前側は、複数の支柱３を左右に間隔をあけて設けることで開放された状態となっている。堆肥舎２の後側は、複数の支柱４を左右に間隔をあけて設けるとともに、支柱４の間に後壁５を設けることで閉塞された状態となっている。堆肥舎２の左右側は、側壁６を設けることで閉塞された状態となっている。堆肥舎２は、支柱3,4の上端部に後側下方へ向けて傾斜させた屋根７を取付けている。
【００１６】
この堆肥舎２の前後の支柱3,4には、左右に直線状に伸延させたレール８が取付けられており、前後のレール８の上部に堆肥撹拌装置１が移動自在に載置されている。
【００１７】
堆肥撹拌装置１は、前後方向に伸延させた矩形板状の基台９の前後端下部に車輪10を設け、前後の車輪10をレール８の上部に転動可能に載置させている。基台９は、制御装置によって駆動される基台用駆動モータで車輪10を回転駆動することでレール８に沿って左右いずれかの方向（図３中に矢印11で示す方向）に向けて走行可能（自走可能）となっている。
【００１８】
基台９には、前後方向（基台９の走行方向と直交する方向）に伸延させた２個の長孔12が形成されており、各長孔12の左右側部に左右一対のレール13が敷設されている。各レール13の上部には、台車14が移動自在に載置されている。
【００１９】
各台車14は、下部に車輪15を設け、車輪15をレール13の上部に転動可能に載置させている。各台車14は、制御装置によって駆動される台車用駆動モータで車輪15を回転駆動することで各レール13に沿って前後いずれかの方向（図３中に矢印16,17で示す方向）に向けてそれぞれ独立して走行可能（自走可能）となっている。なお、左右の台車14の間には所定の間隔が設けられており、左右の台車14が基台９の上部で離合可能となっている。
【００２０】
各台車14には、下部に下方へ向けて伸延させた撹拌翼体18が回動自在に取付けられている。撹拌翼体18は、制御装置によって駆動される撹拌翼体用駆動モータで回転駆動される。なお、撹拌翼体18は、基台９に形成した長孔12に挿通されており、台車14の走行の支障とならないようにしている。また、各台車14に複数の撹拌翼体18を設けてもよい。
【００２１】
撹拌翼体18は、図４に示すように、下方へ向けて伸延する円柱状の回転軸19の外周面に螺旋状の翼20が取付けられている。また、撹拌翼体18は、回転軸19の上端部にガード21を形成している。このガード21は、撹拌翼体18の回転に伴って翼20に沿って堆肥が上昇するのを妨げて落下させる機能を発揮できればよく、図４（ａ）に示すように、回転軸19の上端部の翼20よりも上部に翼20とは逆方向の螺旋形状をした翼体22を取付けた構造でもよく、また、図４（ｂ）に示すように、回転軸19の上端部の翼20よりも上部に上方へ向けて凸状の笠体23を取付けた構造でもよい。なお、ガード21（翼体22や笠体23）の外径は、翼20の外径よりも大きくするのが好ましい。これにより、撹拌翼体18の回転に伴って翼20に沿って上昇する堆肥が台車14の内部に侵入して故障の原因となるのを防止することができる。
【００２２】
堆肥撹拌装置１は、以上に説明するように構成しており、基台９をレール８に沿って走行させることで、撹拌翼体18を左右方向に向けて移動させることができ、また、各台車14をレール13に沿ってそれぞれ独立して走行させることで、各撹拌翼体18を前後方向に向けてそれぞれ独立して移動させることができ、堆肥の内部で撹拌翼体18を回転させながら移動させることで、堆肥を撹拌し混合することができる。
【００２３】
以上に説明したように、上記堆肥撹拌装置１は、走行可能な基台９に複数（ここでは、２台）の台車14,14をそれぞれ独立して基台９の走行方向と直交する方向に向けて走行可能に設け、各台車14に撹拌翼体18を回転可能に設けた構成となっている。
【００２４】
そのため、上記構成の堆肥撹拌装置１では、基台９と複数の台車14,14とをそれぞれ独立して走行させることで、堆肥内での撹拌翼体18の移動（軌跡）を多様化（複雑化）させることができ、堆肥を全体的に良好に撹拌し混合することができ、堆肥の製造を促成することができる。
【００２５】
また、上記堆肥撹拌装置１は、複数の台車14,14を離合可能に基台９に設けた構成となっている。
【００２６】
そのため、上記構成の堆肥撹拌装置１では、複数の台車14,14（撹拌翼体18,18）同士が干渉して台車14,14（撹拌翼体18,18）が移動することができない場所（デッドスペース）が生じるのを防止することができ、より一層堆肥を全体的に良好に撹拌し混合することができ、堆肥の製造を促成することができる。
【符号の説明】
【００２７】
１  堆肥撹拌装置                        ２  堆肥舎
３  支柱                                ４  支柱
５  後壁                                ６  側壁
７  屋根                                ８  レール
９  基台                                10  車輪
11  矢印                                12  長孔
13  レール                              14  台車
15  車輪                                16,17  矢印
18  撹拌翼体                            19  回転軸
20  翼                                  21  ガード
22  翼体                                23  笠体
【図１】
0003198769.tif 000003
【図２】
0003198769.tif 000004
【図３】
0003198769.tif 000005
【図４】
0003198769.tif 000006